(57)【要約】【課題】消毒庫内へのリネンやベッドマット等の消毒対象物の搬入を容易に行いことができるとともに、消毒対象物を消毒庫内に搬入した状態で消毒ガスが消毒対象物全体に均一に行き渡る状態に維持することができる運搬車を提供する。【解決手段】荷台２の上面側左右側縁に沿って立設した固定柵７，８の立設方向と直交してリネン積載用仕切り柵（可動柵）１１もしくはベッドマット積載用柵（可動柵）１２を着脱自在に取り付ける。可動柵１１，１２には固定柵７，８の上部フレーム９に係止される支持部１７，１８と荷台２に穿設した取付穴１３，１４に差し込む脚部１９，２０とを形成する。取付穴１３，１４を荷台２の前後縁に沿った位置と中間部とに設け固定柵７，８と直交しつつ可動柵１１，１２を任意位置に立設する。ベッドマット積載用柵１２は縦桟２３のみとし、複数枚のベッドマット２４を間隔を空けた状態で保持して消毒ガスを行き渡らせる。【選択図】図１
2007203953.tif 000002
【特許請求の範囲】
【請求項１】
底面側に複数個のキャスターが取り付けられた平板状荷台の上面側左右側縁に沿って固定柵を対向して立設し、この固定柵の立設方向と直交して可動柵を着脱自在に取付可能とした運搬車において、前記可動柵には前記固定柵の上部フレームに係止される支持部と前記荷台に穿設された取付穴に差し込まれる脚部とを各々上部と下部とに形成するとともに、可動柵の脚部を差し込む取付穴を荷台の前後縁に沿った位置とその中間部とに設けて固定柵と直交係止しつつ可動柵を任意位置に立設したことを特徴とする運搬車。
【請求項２】
可動柵は、縦横に交差する桟が組み付けられたリネン積載用仕切り柵と、一定間隔を空けた配列された複数本の縦桟のみからなりベッドマットを長手方向に立てた状態で保持可能なベッドマット積載用柵とから構成されることを特徴とする請求項１記載の運搬車。
【発明の詳細な説明】
【技術分野】
【０００１】
本発明は運搬車に関し、特にリネンやベッドマット等の殺菌消毒処理のための消毒庫内搬入作業に適した運搬車に関する。
【背景技術】
【０００２】
病院や介護施設等で使用される布団、シーツ、枕カバー等のリネンやベッドマット等の回収作業において利用される手押式運搬車は、運搬性能や収納性能等の作業効率の向上を目的として様々な提案がなされている。（特許文献１，２参照）
また、利用済みのベッドマットやリネン等を回収した後の処理として、病院やリネン処理工場、介護関連施設等に設置した殺菌消毒庫内で対象物をオゾンガス等を用い殺菌消毒処理することが行われている。（特許文献３参照）
従来のオゾンを使用する消毒庫内にあっては、運搬車のかご枠内に収納された布団、シーツ類やマットレス等の消毒対象物が幾重にも重なり、消毒に必要なオゾンガスが充分に行き渡らない部分が生じるという問題点があった。また、オゾンを充分に行き渡らせるために、過剰のオゾンガスを注入することになり、消毒対象物の酸化劣化を早める要因ともなっている。
【特許文献１】特開２００４−１３０９３２号公報
【特許文献２】特開２００５−２８０８１５号公報
【特許文献３】特開２００１−３７８５１号公報
【発明の開示】
【発明が解決しようとする課題】
【０００３】
本発明の目的は、消毒庫内へのリネンやベッドマット等の消毒対象物の搬入を容易に行いことができるとともに、消毒対象物を消毒庫内に搬入した状態でオゾンガスが消毒対象物全体に均一に行き渡る状態に維持することができる運搬車を提供することである。
【課題を解決するための手段】
【０００４】
前記課題を解決するため、請求項１記載の発明においては、底面側に複数個のキャスターが取り付けられた平板状荷台の上面側左右側縁に沿って固定柵を対向して立設し、この固定柵の立設方向と直交して可動柵を着脱自在に取付可能とした運搬車において、前記可動柵には前記固定柵の上部フレームに係止される支持部と前記荷台に穿設された取付穴に差し込まれる脚部とを各々上部と下部とに形成するとともに、可動柵の脚部を差し込む取付穴を荷台の前後縁に沿った位置とその中間部とに設けて固定柵と直交係止しつつ可動柵を任意位置に立設した。
【０００５】
請求項２記載の発明においては、請求項１記載の可動柵を、縦横に交差する桟が組み付けられたリネン積載用仕切り柵と、一定間隔を空けた配列された複数本の縦桟のみからなりベッドマットを長手方向に立てた状態で保持可能なベッドマット積載用柵とから構成した。
【発明の効果】
【０００６】
請求項１記載の本発明によれば、運搬車へのリネン袋等の積載物の積み込み及び荷降ろし作業時には、可動柵全体を外した状態で行うことができるため作業効率を高めることができる。
【０００７】
請求項２記載の発明によれば、積載物がリネン袋かベッドマットかによって、それらに対応した可動柵を選択し積載物に応じて可動柵の取り付け位置を変更することができるため、消毒庫内に搬入した状態でオゾンガスが全体に均一に行き渡る状態に消毒対象物の保持することができる。
【発明を実施するための最良の形態】
【０００８】
本発明の実施の形態を図１ないし図７に基づいて説明する。運搬車本体１を構成する平板状の荷台２の底面側隅角部４箇所にはキャスター３，４，５，６が取り付けられ、さらにこの荷台２の上面側には左右の側縁に沿って固定柵７，８が各々対向して立設されている。この固定柵７，８は、外枠９とその内側に配置されて縦横に交差する桟１０により構成されている。
【０００９】
前記荷台２には、可動柵であるリネン積載用仕切り柵１１とベッドマット積載用柵１２とを選択的に取り付けるための取付穴１３，１４が、左右の固定柵７，８の内側に沿って複数箇所に穿設されている。さらに、リネン積載用仕切り柵１１とベッドマット積載用柵１２には、その上部フレーム１５，１６に前記固定柵７，８の外枠９に係止する支持部１７，１８が左右に形成されるとともに、前記荷台２の取付穴１３，１４に差し込まれる脚部１９，２０が左右に設けられている。
【００１０】
前記リネン積載用仕切り柵１１は縦横に交差する桟２１が組み付けられ、これらの桟２１によって構成される隙間はリネン収納袋２２が抜け落ちない広さに設定される。さらに前記ベッドマット積載用柵１２には一定の間隔を空けて縦桟２３が複数本配置固定されており、この縦桟２３の各々の間隔はベッドマッド２４の厚みを考慮して設定され、ベッドマッド２４を長手方向に挿入保持可能とするとともに、複数枚のベッドマットを間隔を空けた状態で保持可能としている。
【００１１】
このように構成された運搬車本体１に、リネン積載用仕切り柵１１もしくはベッドマット積載用柵１２を組み付けることにより運搬車を構成する。すなわち、図３及び図４に示すように取付穴１３，１４に脚部１９，２０を差し込み、支持部１７，１８を外枠９に係止する。そして図２(ａ）に示すように荷台２の外周側の取付穴を選択してリネン積載用仕切り柵１１とベッドマット積載用柵１２とを取り付けることによって、図５のように複数個のリネン収納袋２２を載置することができる運搬車本体１が組み立てられる。リネン収納袋２２の積み込みや積み下ろし時には、片側の柵を取り外しておくことにより作業が容易になる。
【００１２】
さらに、図２(ｂ）に示すように荷台２の中心部側の取付穴を選択してベッドマット積載用柵１２とを取り付けることにより、図６のように複数枚のベッドマッド２４を載置することができる運搬車本体１が組み立てられる。このときベッドマット積載用柵１２を組み付けた運搬車本体１を２台並べることによってベッドマッド２４を安定した状態に載置すりことが可能となる。
【００１３】
このようにしてリネン収納袋２２等を載置した運搬車本体１は作業者により搬送された後、図７に示すようにフォークリフト２５によって消毒庫２６内に持ち込まれ消毒作業が開始される。
【００１４】
以上説明したように、本発明の運搬車へのリネン袋等の積載物の積み込み及び荷降ろし作業時には、可動柵全体を外した状態で行うことができるため作業効率を高めることができる。
【００１５】
さらに積載物がリネン袋かベッドマットかによって、それらに対応した可動柵を選択し積載物に応じて可動柵の取り付け位置を変更することができるため、消毒庫内に搬入した状態でオゾンガスが全体に均一に行き渡る状態に消毒対象物の保持することができる。
【図面の簡単な説明】
【００１６】
【図１】本発明の実施の形態の運搬車を示す斜視図である。
【図２】可動柵を取り付けた状態の運搬車を示す斜視図である。
【図３】可動柵の取付状態を示す要部の斜視図である。
【図４】可動柵の取付状態を示す要部の斜視図である。
【図５】リネン収納袋を載置した状態の運搬車を示す斜視図である。
【図６】ベッドマットを載置した状態の運搬車を示す斜視図である。
【図７】消毒庫への運搬車の搬入出状態を示す説明図である。
【符号の説明】
【００１７】
２                荷台
３，４，５，６    キャスター
７，８            固定柵
９                上部フレーム
１１              リネン積載用仕切り柵（可動柵）
１２              ベッドマット積載用柵（可動柵）
１７，１８        支持部
１３，１４        取付穴
１９，２０        脚部
【図１】
2007203953.tif 000003
【図２】
2007203953.tif 000004
【図３】
2007203953.tif 000005
【図４】
2007203953.tif 000006
【図５】
2007203953.tif 000007
【図６】
2007203953.tif 000008
【図７】
2007203953.tif 000009